Podtech/llm-jp-corpus-v4-ja_patent huggingface dataset:
【手続補正書】
【提出日】平成17年9月9日(2005.9.9)
【手続補正１】
【補正対象書類名】明細書
【補正対象項目名】特許請求の範囲
【補正方法】変更
【補正の内容】
【特許請求の範囲】
【請求項１】  動物の蹄の感染症の治療又は予防用の水性殺菌組成物であって、銅塩、四級アンモニウム化合物、及び過酸化物を含有する組成物。
【請求項２】  前記組成物のｐＨが、約３未満である請求項１に記載の組成物。
【請求項３】  前記銅塩が、その溶液の約２質量％〜約２０質量％の量で存在し、前記四級アンモニウム化合物が、前記組成物の約0.5質量％〜約２質量％の量で存在し、かつ、前記過酸化物が、前記組成物の約0.5質量％〜約５質量％の量で存在する請求項１に記載の組成物。
【請求項４】  前記銅塩が、前記組成物の約１５質量％〜約２０質量％の量で存在し、前記四級アンモニウム化合物が、前記組成物の約１質量％〜約２質量％の量で存在し、かつ、前記過酸化物が、前記組成物の約１質量％〜約４質量％の量で存在する請求項３に記載の組成物。
【請求項５】  前記銅塩が、硫酸銅である請求項１に記載の組成物。
【請求項６】  前記四級アンモニウム化合物が、ベンジル基が置換され又は置換されていない、少なくとも１の塩化トリアルキルベンジルアンモニウムである請求項５に記載の組成物。
【請求項７】  前記過酸化物が過酸化水素である請求項６に記載の組成物。
【請求項８】  さらに、ｐＨ調整剤を含む請求項１に記載の組成物。
【請求項９】  さらに、ｐＨコントロール剤を含む請求項８に記載の組成物。
【請求項１０】  さらに、界面活性剤を含む請求項９に記載の組成物。
【請求項１１】  さらに、増粘剤を含む請求項１０に記載の組成物。
【請求項１２】  動物の蹄の感染症の治療又は予防用の水性殺菌組成物であって、(a)該組成物の約１５質量％〜約２０質量％の硫酸銅、(b)該組成物の約0.5質量％〜約２質量％の四級アンモニウム化合物であって、ベンジル基が置換され又は置換されていない、少なくとも１の塩化トリアルキルベンジルアンモニウムを含む四級アンモニウム化合物、及び(c)該組成物の約１質量％〜約４質量％の過酸化水素を含み、該組成物のｐＨが約３未満である組成物。
【請求項１３】  動物の蹄の感染症の治療又は予防方法であって、銅塩、四級アンモニウム化合物、及び過酸化物を含む水性殺菌組成物の有効量を、局所的に投与することを含む方法。
【請求項１４】  前記感染症が、パピローマ性の指の皮膚炎(papillomatous digital dermatitis)である請求項１３に記載の方法。
【請求項１５】  前記銅塩が、前記組成物の約２質量％〜約２０質量％の量で存在し、前記四級アンモニウム化合物が、前記組成物の約0.5質量％〜約２質量％の量で存在し、かつ、前記過酸化物が、前記組成物の約0.5質量％〜約５質量％の量で存在する請求項１３に記載の方法。
【請求項１６】  前記感染症が、パピローマ性の指の皮膚炎である請求項１５に記載の方法。
【請求項１７】  前記感染症が、蹄腐敗(hoof rot)である請求項１５に記載の方法。
【請求項１８】  前記感染症が、安定性蹄腐敗(stable hoof rot)である請求項１５に記載の方法。
【請求項１９】  前記銅塩が硫酸銅であり、前記四級アンモニウム化合物が、ベンジル基が置換され又は置換されていない、少なくとも１の塩化トリアルキルベンジルアンモニウムを含み、かつ前記過酸化物が過酸化水素である請求項１３に記載の方法。
【請求項２０】  前記銅塩が、前記組成物の約１５質量％〜約２０質量％の量で存在し、前記四級アンモニウム化合物が、前記組成物の約１質量％〜約２質量％の量で存在し、かつ、前記過酸化物が、前記組成物の約１質量％〜約４質量％の量で存在する請求項１３に記載の方法。
【請求項２１】  前記感染症が、パピローマ性の指の皮膚炎である請求項２０に記載の方法。
【請求項２２】  前記感染症が、蹄腐敗である請求項２０に記載の方法。
【請求項２３】  前記感染症が、安定性蹄腐敗である請求項２０に記載の方法。
【請求項２４】  前記組成物が、噴霧として投与される請求項１３に記載の方法。
【請求項２５】  前記組成物が、フットバス(footbath)として投与される請求項１３に記載の方法。
【請求項２６】  動物の蹄の感染症の治療又は予防の方法であって、有効量の水性殺菌組成物を局所的に投与することを含み、該組成物が、(a)該組成物の約１５質量％〜約２０質量％の硫酸銅、(b)該組成物の約0.5質量％〜約２質量％の四級アンモニウム化合物であって、ベンジル基が置換され又は置換されていない、少なくとも１の塩化トリアルキルベンジルアンモニウムを含む四級アンモニウム化合物、及び(c)該組成物の約１質量％〜約４質量％の過酸化水素を含み、該組成物のｐＨが約３未満である、方法。
【請求項２７】  前記感染症が、ＰＤＤである請求項２６に記載の方法。
【請求項２８】  前記感染症が、蹄腐敗である請求項２６に記載の方法。
【請求項２９】  前記感染症が、安定性蹄腐敗である請求項２６に記載の方法。
【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  リソソーム蓄積症の治療のための医薬の製造における、次式の化合物の有効量の使用：
【化１】
2003528799.tif 000001
（式中、Ｒ１はＨ、ＣＨ３またはＣＨ2ＣＨ3を表わし、Ｒ２およびＲ３は、それぞれ独立して、Ｈ、ＯＨ、１〜６炭素アルキル、ヒドロキシアルキル、アルコキシ、または単糖を表わし、Ｒ４およびＲ５は独立してＨまたはＯＨを表わす）、または
【化２】
2003528799.tif 000002
（式中、カリステジンＡ３については、Ｒ１＝Ｈであり、Ｒ２＝ＯＨであり、Ｒ３＝Ｈであり、Ｒ４＝Ｈである；カリステジンＢ２については、Ｒ１＝Ｈであり、Ｒ２＝ＯＨであり、Ｒ３＝Ｈであり、Ｒ４＝ＯＨである；カリステジンＢ３については、Ｒ１＝Ｈであり、Ｒ２＝Ｈであり、Ｒ３＝ＯＨであり、Ｒ４＝ＯＨである；および、Ｎ−メチル−カリステジンについては、Ｒ１＝ＣＨ３であり、Ｒ２＝ＯＨであり、Ｒ３＝Ｈであり、Ｒ４＝Ｈである）。
【請求項２】  請求項１に記載の使用であって、前記化合物が次式を有することを特徴とする使用：
【化３】
2003528799.tif 000003
（式中、Ｒ１はＨ、ＣＨ３またはＣＨ2ＣＨ3を表わし、Ｒ２およびＲ３は、それぞれ独立して、１〜３炭素アルキル、アルコキシル、またはヒドロキシアルキル基を表す）。
【請求項３】  請求項１に記載の使用であって、前記化合物が、２，５−ジデオキシ−２，５−イミノ−Ｄ−マンニトール、３，４−ｄｉｅｐｉ−α−ホモノジリマイシン(homonojirimaycin)、５−Ｏ−α−Ｄ−ガラクトピラノシル−α−ホモノジリマイシン、１−デオキシガラクトノジリマイシン、および４−ｅｐｉ−ファゴミン(fagomine)から成る群から選択されることを特徴とする使用。
【請求項４】  請求項１に記載の使用であって、前記リソソーム蓄積症がファブリ病であることを特徴とする使用。
【請求項５】  請求項４に記載の使用であって、前記化合物が１−デオキシガラクトノジリマイシンであることを特徴とする使用。
【請求項６】  インビトロで哺乳動物細胞中のリソソーム酵素の活性を増大する方法であって、次式の化合物の有効量を投与することを含む方法：
【化４】
2003528799.tif 000004
（式中、Ｒ１はＨ、ＣＨ３またはＣＨ2ＣＨ3を表わし、Ｒ２およびＲ３は、それぞれ独立して、Ｈ、ＯＨ、１〜６炭素アルキル、ヒドロキシアルキル、アルコキシ、または単糖を表わし、Ｒ４およびＲ５は独立してＨまたはＯＨを表わす）、または
【化５】
2003528799.tif 000005
（式中、カリステジンＡ３については、Ｒ１＝Ｈであり、Ｒ２＝ＯＨであり、Ｒ３＝Ｈであり、Ｒ４＝Ｈである；カリステジンＢ２については、Ｒ１＝Ｈであり、Ｒ２＝ＯＨであり、Ｒ３＝Ｈであり、Ｒ４＝Ｈである；カリステジンＢ３については、Ｒ１＝Ｈであり、Ｒ２＝Ｈであり、Ｒ３＝ＯＨであり、Ｒ４＝ＯＨである；およびＮ−メチル−カリステジンについては、Ｒ１＝ＣＨ３であり、Ｒ２＝ＯＨであり、Ｒ３＝Ｈであり、Ｒ４＝Ｈである）。
【請求項７】  請求項６に記載の方法であって、前記化合物が次式を有することを特徴とする方法：
【化６】
2003528799.tif 000006
（式中、Ｒ１はＨ、ＣＨ３またはＣＨ2ＣＨ3を表わし、Ｒ２およびＲ３は、それぞれ独立して、１〜３炭素アルキル、アルコキシル、またはヒドロキシアルキル基を表す）。
【請求項８】  請求項７に記載の方法であって、前記化合物が１−デオキシガラクトノジリマイシンであることを特徴とする方法。
【請求項９】  請求項８に記載の方法であって、前記リソソーム酵素がα-ガラクトシダーゼＡであることを特徴とする方法。
【請求項１０】  請求項１又は６に記載の方法であって、前記リソソーム酵素が変異し、小胞体において不適当な立体配座に折り畳まれることを特徴とする方法。
【請求項１１】  請求項１０に記載の方法であって、前記リソソーム酵素がα-ガラクトシダーゼＡであることを特徴とする方法。
【請求項１２】  請求項６又は１０に記載の方法であって、前記リソソーム酵素が安定化されることを特徴とする方法。
【請求項１３】  請求項６又は１０に記載の方法であって、前記リソソーム酵素の分解が防止されることを特徴とする方法。
【請求項１４】  被験者の脈管内皮細胞における中性スフィンゴ糖脂質の蓄積を防止するための医薬の製造における、次式の化合物の有効量の使用：
【化７】
2003528799.tif 000007
（式中、Ｒ１はＨ、ＣＨ３またはＣＨ2ＣＨ3を表わし、Ｒ２およびＲ３は、それぞれ独立して、Ｈ、ＯＨ、１〜６炭素アルキル、ヒドロキシアルキル、アルコキシ、または単糖を表わし、Ｒ４およびＲ５は独立してＨまたはＯＨを表わす）、または
【化８】
2003528799.tif 000008
（式中、カリステジンＡ３については、Ｒ１＝Ｈであり、Ｒ２＝ＯＨであり、Ｒ３＝Ｈであり、Ｒ４＝Ｈである；カリステジンＢ２については、Ｒ１＝Ｈであり、Ｒ２＝ＯＨであり、Ｒ３＝Ｈであり、Ｒ４＝Ｈである；カリステジンＢ３については、Ｒ１＝Ｈであり、Ｒ２＝Ｈであり、Ｒ３＝ＯＨであり、Ｒ４＝ＯＨである；及び、Ｎ−メチル−カリステジンについては、Ｒ１＝ＣＨ３であり、Ｒ２＝ＯＨであり、Ｒ３＝Ｈであり、Ｒ４＝Ｈである）。
【請求項１５】  請求項１４に記載の使用であって、前記化合物が次式を有することを特徴とする使用：
【化９】
2003528799.tif 000009
（式中、Ｒ１はＨ、ＣＨ３またはＣＨ2ＣＨ3を表わし、Ｒ２およびＲ３は、それぞれ独立して、１〜３炭素アルキル、アルコキシル、ヒドロキシアルキル基を表す）。
【請求項１６】  請求項１５に記載の使用であって、前記化合物が１−デオキシガラクトノジリマイシンであることを特徴とする使用。
【請求項１７】  請求項１４又は１５に記載の使用であって、前記被験者が、リソソーム蓄積症と診断されたことを特徴とする使用。
【請求項１８】  請求項１７に記載の使用であって、前記リソソーム蓄積症がファブリ病であることを特徴とする使用。
【請求項１９】  請求項１４〜１８に記載の使用であって、前記スフィンゴ糖脂質が、主としてセラミドトリヘキソシドであることを特徴とする使用。
【請求項２０】  請求項１９に記載の使用であって、前記医薬がさらに、脈管内皮細胞における中性スフィンゴ糖脂質の蓄積に付随する腎機能不全を防止することを特徴とする使用。
【請求項２１】  請求項１９に記載の使用であって、前記医薬がさらに、被験者の脈管内皮細胞における中性スフィンゴ糖脂質の蓄積に付随する早発心筋梗塞および発作（strokes）を防止することを特徴とする使用。
【手続補正書】
【提出日】平成18年9月14日(2006.9.14)
【手続補正１】
【補正対象書類名】明細書
【補正対象項目名】特許請求の範囲
【補正方法】変更
【補正の内容】
【特許請求の範囲】
【請求項１】  可変圧縮ピストン組立体であって、複数のピストンと、ピストンの各々に連結してあって、駆動部材を包含する移行アームと、この駆動部材に連結してあり、駆動部材の軸線に沿って摺動するように回動自在に装着した回転部材とを包含し、駆動部材に相対的な回転部材の運動が、ピストン組立体の圧縮比を変えることを特徴とする組立体。
【手続補正書】
【提出日】平成18年6月20日(2006.6.20)
【手続補正１】
【補正対象書類名】明細書
【補正対象項目名】特許請求の範囲
【補正方法】変更
【補正の内容】
【特許請求の範囲】
【請求項１】  ディスプレイ装置のフェースプレート上にピクセルアセンブリを形成するための方法であって、
ａ）前記フェースプレート上において、前記ピクセルアセンブリの上方に塗布装置を整合して配置し；そして、
ｂ）前記塗布装置からの物質を前記ピクセルアセンブリの内部に主として分配するが、前記物質を前記ピクセルアセンブリの外部には実質的に分配しないように、前記物質の一定量を前記ピクセルアセンブリ内に分配することからなることを特徴とする方法。
【請求項２】  前記ディスプレイ装置は、電界放射ディスプレイ装置であることを特徴とする請求項１に記載の方法。
【請求項３】  前記物質を収容するハウジングと；
前記ハウジングからの前記物質を前記ピクセルに向けるために、前記ハウジング上に位置されたノズルと；そして、
前記物質を前記ノズルを通して移動させるために、前記ハウジングに連結されたドライバとからなる塗布装置から、前記物質を前記ピクセルアセンブリ内に分配することを更に含むことを特徴とする請求項１に記載の方法。
【請求項４】  前記物質を分配するために適したプリンタヘッドから、前記物質を前記ピクセルアセンブリ内に分配することを更に含むことを特徴とする請求項１に記載の方法。
【請求項５】  前記物質は、カラーフィルタ材料、蛍光材料、湿潤材料、ラッカー材料及び反射層材料からなる群から選ばれることを特徴とする請求項１に記載の方法。
【請求項６】  前記ピクセルのうちの隣接するこれらの行及び列を分離するマトリックス構造体の頂面には前記物質が分配されないように、前記物質を前記ピクセルアセンブリ内に分配することを更に含むことを特徴とする請求項１に記載の方法。
【請求項７】  複数の塗布装置からの複数の物質を、複数のそれぞれのピクセルアセンブリ内に分配することを更に含むことを特徴とする請求項１に記載の方法。
【請求項８】  前記複数の物質は、カラーフィルタ材料、蛍光材料、湿潤材料、ラッカー材料及び反射層材料からなる群から選ばれることを特徴とする請求項７に記載の方法。
【請求項９】  前記複数の塗布装置の各々から異なる物質を分配することを更に含むことを特徴とする請求項８に記載の方法。
【請求項１０】  前記複数の塗布装置の各々から類似する物質を分配することを更に含むことを特徴とする請求項８に記載の方法。
【請求項１１】  前記複数の塗布装置の各々から同一物質を分配することを更に含むことを特徴とする請求項８に記載の方法。
【請求項１２】  前記物質はラッカー材料であることを特徴とする請求項１乃至１１の何れか１つに記載の方法。
【請求項１３】  前記分配工程は、塗布装置からのカラーフィルタ材料を前記ピクセルアセンブリ内に分配することを更に含み、前記ラッカー材料を分配する前に、前記カラーフィルタ材料を前記ピクセルアセンブリの内部に主として分配するが、前記カラーフィルタ材料を前記ピクセルアセンブリの外部には実質的に分配しないように、前記カラーフィルタ材料を分配することを特徴とする請求項１２に記載の方法。
【請求項１４】  前記分配工程は、塗布装置からの蛍光材料を前記ピクセルアセンブリ内に分配することを更に含み、前記ラッカー材料を分配する前に、前記蛍光材料を前記ピクセルアセンブリの内部に主として分配するが、前記蛍光材料を前記ピクセルアセンブリの外部には実質的に分配しないように、前記蛍光材料を分配することを特徴とする請求項１２に記載の方法。
【請求項１５】  前記分配工程は、塗布装置からの湿潤材料を前記ピクセルアセンブリ内に分配することを更に含み、前記ラッカー材料を分配する前に、前記湿潤材料を前記ピクセルアセンブリの内部に主として分配するが、前記湿潤材料を前記ピクセルアセンブリの外部には実質的に分配しないように、前記湿潤材料を分配することを特徴とする請求項１２に記載の方法。
【請求項１６】  前記湿潤材料を分配して、前記フェースプレートに向かって凹の凹面を形成することを特徴とする請求項１５に記載の方法。
【請求項１７】  反射層材料の一定量を、前記ラッカー材料の上に塗布する工程を更に含むことを特徴とする請求項１２に記載の方法。
【手続補正書】
【提出日】平成18年8月9日(2006.8.9)
【手続補正１】
【補正対象書類名】明細書
【補正対象項目名】請求項５
【補正方法】変更
【補正の内容】
【請求項５】  前記チャンネルデインターリーバＲＡＭは、
前記シンボル評価値のブロックの第１の部分を記憶し、前記シンボル評価値のブロックの前記第１の部分を読出す第１のデインターリーバＲＡＭと、
前記シンボル評価値のブロックの第２の部分を記憶し、前記シンボル評価値のブロックの前記第２の部分を読出す第２のデインターリーバＲＡＭと、
前記シンボル評価値のブロックの第３の部分を記憶し、前記シンボル評価値のブロックの前記第３の部分を読出す第３のデインターリーバＲＡＭとから構成されている請求項１記載のシステム。
【手続補正２】
【補正対象書類名】明細書
【補正対象項目名】０００１
【補正方法】変更
【補正の内容】
【０００１】
【発明の属する技術分野】
本発明はチャンネル符号化に関する。特に、本発明は、ＭＡＰ復号を行う新しい改善された技術に関する。
【手続補正３】
【補正対象書類名】明細書
【補正対象項目名】００２４
【補正方法】変更
【補正の内容】
【００２４】
図４は、本発明の１実施形態にしたがって構成された受信システムのブロック図である。アンテナ150は、受信されたＲＦ信号をＲＦユニット152に供給する。ＲＦユニット152は、ＲＦ信号の下方変換、濾波およびデジタル化を行う。マッパ154はデジタル化されたデータを受信し、ソフト決定データをチャンネルデインターリーバ156に供給する。ターボデコーダ158は、チャンネルデインターリーバ156からのソフト決定データを復号し、その結果得られたハード決定データを受信システムにおけるプロセッサまたは制御装置に供給しする。プロセッサまたは制御装置は、ＣＲＣチェックサムデータを使用してデータの正確さをチェックすることができる。
【手続補正４】
【補正対象書類名】明細書
【補正対象項目名】００３８
【補正方法】変更
【補正の内容】
【００３８】
表IIに示されているように、本発明の実施形態では、スライディングウインドウアーキテクチャはソフト−入力−ソフト−出力（ＳＩＳＯ）ログ−ＭＡＰ復号を実行することに使用される。このスライディングウインドウＭＡＰ復号を実行するシステムおよび方法は、本出願の譲受人に譲渡された米国特許出願番号08/743688号明細書（題名“Soft Decision Output Decoder for Decoding Convolutionally Encoded Codewords”に記載されている。
【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  第１のメッセージサービスと第２のメッセージサービスが使用可能である、遠隔通信網におけるメッセージの伝送のための方法であって、
第１のメッセージサービスの予め定められた第１のメッセージグループが、第２のメッセージサービスのメッセージによって送信され、
この場合、前記第２のメッセージサービスは、ショートメッセージサービス、有利には“ＳＭＳショートメッセージサービス”であり、
さらにショートメッセージ（ＳＭ；ＳＭ′）は、第１のメッセージサービスのメッセージタイプの識別子（ＵＨＩ；ＭＭＳＮＩ）を有するデータパート（ＳＭ−Ｄ；ＳＭ−Ｄ′）を備えている形式の方法において、
前記ショートメッセージは、ショートメッセージのデータパート（ＳＭ−Ｄ：ＳＭ−Ｄ′）内に第１のメッセージサービスのメッセージの存在を示すための識別子（ＭＭＳＩ；ＭＭＳＩ′）を有し、
前記識別子（ＭＭＳＩ；ＭＭＳＩ′）は、第１のメッセージサービスのメッセージとは異なるようにしたことを特徴とする方法。
【請求項２】  第２のメッセージサービスのメッセージは、送信側と受信側の間で回線指向の伝送なしで送信される、請求項１記載の方法。
【請求項３】  第１のメッセージサービスの予め定められた第２のメッセージグループは、送信側と受信側の間で回線指向の伝送によって送信される、請求項１または２記載の方法。
【請求項４】  前記第１のメッセージサービスは、マルチメディアメッセージサービス、有利には“ＭＭＳメッセージサービス”である、請求項１から３いずれか１項記載の方法。
【請求項５】  ショートメッセージ（ＳＭ；ＳＭ′）は、第１のメッセージサービスのメッセージの確定のための以下の要素、すなわち
第１のメッセージサービスのメッセージタイプの識別子(ＵＨＩ；ＭＭＳＮＩ)と第１のメッセージサービスのメッセージ内容（ＵＨＤ；ＭＭＳＣ）のうちの少なくとも１つを有するデータパート（ＳＭ−Ｄ；ＳＭ−Ｄ′）を備えている、請求項１から４いずれか１項記載の方法。
【請求項６】  第１のメッセージサービスのメッセージの確定のためのさらなる要素として、第１のメッセージサービスのメッセージ長（ＵＨＥＬ；ＭＭＳＬ）が示される、請求項５記載の方法。
【請求項７】  前記要素は少なくとも部分的に、ショートメッセージ（ＳＭ）のユーザーデータヘッダ（ＳＭ−ＤＨ）に挿入される、請求項５または６記載の方法。
【請求項８】  前記ユーザーデータヘッダ（ＳＭ−ＤＨ）は、ＷＣＭＰフォーマットで構成される、請求項７記載の方法。
【請求項９】  ショートメッセージ（ＳＭ′）は、ヘッダ（ＳＭ−Ｈ′）を備えており、該ヘッダは、データパート（ＳＭ−Ｄ′）内に第１のメッセージサービスのメッセージの存在を示す識別子（ＭＭＳＩ′）を有している、請求項５から８いずれか１項記載の方法。
【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】式Ｉ：Ｘ−（Ｙ’）ｂ−（Ｐｘ）２−Ｇ’−Ａ−（Ｇ’）ａ−Ｒ７
［式中、全てのアミノ酸残基は独立にＤ型であり、
ＸはＨまたはＡｃを表し；
Ｇ’はグリシン残基またはＳａｒを表し；
Ａはアラニンを表し；
Ｐｘは式ＩＩのアミノ酸残基を表し；
【化１】
2003528826.tif 000001
｛式中、ｎは３、４、または５を有する整数であり、Ｒは任意の置換基を表し｝
Ｙ’はハロゲンまたはヒドロキシでフェニル環において任意に置換されたチロシンまたはフェニルアラニンを表し；
ａ及びｂは独立に０または１であり；
Ｒ７はＯＨ、ＮＨ２、ＮＨＮＨ２、Ａｓｎ−ＮＨ２、またはＧｌｎ−ＮＨ２を表す］
を有する化合物及びその製薬学的に許容可能な塩。
【請求項２】Ｐｘが３Ｈｙｐ、４Ｈｙｐ、またはＰｒｏのアミノ酸残基を表す、請求項１に記載の化合物。
【請求項３】Ａｃ−Ｄ−Ｔｙｒ−Ｄ−Ｐｒｏ−Ｄ−Ｈｙｐ−Ｇｌｙ−Ｄ−Ａｌａ−Ｇｌｙ−ＯＨ；
Ａｃ−Ｄ−Ｔｙｒ−Ｄ−Ｐｒｏ−Ｄ−４Ｈｙｐ−Ｇｌｙ−Ｄ−Ａｌａ−Ｇｌｙ−ＮＨ２（化合物２）
からなる群から選択された、請求項１または２に記載の化合物およびその製薬学的に許容可能な塩。
【請求項４】請求項１から３のいずれか一項に記載の化合物、及び製薬学的に許容可能な担体または希釈液を含む製薬組成物。
【請求項５】注射調製物である、請求項４に記載の組成物。
【請求項６】不整脈の治療用医薬の調製のための、請求項１から３のいずれか一項に記載の化合物の使用。
【請求項７】前記不整脈が心房細動、心室細動、または房室ブロックである、請求項６に記載の使用。
【請求項８】前記不整脈が徐脈不整脈である、請求項６に記載の使用。
【請求項９】前記不整脈が頻拍不整脈である、請求項７に記載の使用。
【請求項１０】前記頻拍不整脈が心室頻拍である、請求項９に記載の使用。
【請求項１１】収縮減少の治療用医薬の調製のための、請求項１から３のいずれか一項に記載の化合物の使用。
【請求項１２】Ｔ波交代を有する患者の治療用医薬の調製のための、請求項１から３のいずれか一項に記載の化合物の使用。
【手続補正書】
【提出日】平成18年9月1日(2006.9.1)
【手続補正１】
【補正対象書類名】明細書
【補正対象項目名】特許請求の範囲
【補正方法】変更
【補正の内容】
【特許請求の範囲】
【請求項１】  個体における抗ウイルス応答を誘導するための組成物であって、該組成物は、リンホトキシン−βのそのレセプターへの結合をブロックする薬剤の有効量および薬学的に受容可能なキャリアを含む、組成物。
【請求項２】  前記薬剤がＬＴ−β−Ｒブロック剤である、請求項１に記載の組成物。
【請求項３】  前記薬剤が、リンホトキシン−βレセプターまたは可溶性リンホトキシン−βレセプターに対する抗体である、請求項２に記載の組成物。
【請求項４】  前記薬剤が、リンホトキシン−βレセプター／Ｉｇ融合タンパク質である、請求項３に記載の組成物。
【請求項５】  前記薬剤が、可溶性リンホトキシン−β、またはリンホトキシン−βに対する抗体である、請求項１に記載の組成物。
【請求項６】  個体における抗ウイルス応答を誘導するための組成物であって、該組成物はリンホトキシン−βレセプターおよび／またはＨＶＥＭシグナル伝達経路をブロックする薬剤の有効量を含む、組成物。
【請求項７】  前記個体がシンノンブルウイルス、エボラウイルス、マールブルグウイルス、ラッサウイルスまたはデング熱ウイルスに感染する、請求項１〜６に記載の組成物。
【請求項８】  前記薬剤がリンホトキシン−β−Ｒ／Ｉｇ融合タンパク質である請求項７に記載の組成物。
【手続補正書】
【提出日】平成18年8月3日(2006.8.3)
【手続補正１】
【補正対象書類名】明細書
【補正対象項目名】特許請求の範囲
【補正方法】変更
【補正の内容】
【特許請求の範囲】
【請求項１】  ＦＧＦの単位用量であって、配列番号１〜３、５、８〜１０、もしくは１２〜１４のいずれか１つのアミノ酸配列を有する哺乳動物ＦＧＦ、あるいはそれらの脈管形成的に活性なフラグメントまたはムテインを約０．０８ｍｇ〜約６．１ｍｇ含有する、単位用量。
【請求項２】  前記ＦＧＦあるいはその脈管形成的に活性なフラグメントまたはムテインを０．３μｇ／ｋｇ〜３．５ｍｇ含有する、請求項１の単位用量。
【請求項３】  前記ＦＧＦが配列番号１〜３、５、または８〜９のいずれか１つの配列を有する、請求項１に記載の単位用量。
【請求項４】  前記ＦＧＦが配列番号１０または１２〜１４のいずれか１つの配列を有する、請求項１に記載の単位用量。
【請求項５】  前記ＦＧＦが配列番号１の配列を有する、請求項３に記載の単位用量。
【請求項６】  前記ＦＧＦが配列番号２の配列を有する、請求項３に記載の単位用量。
【請求項７】  前記ＦＧＦが配列番号３の配列を有する、請求項３に記載の単位用量。
【請求項８】  前記ＦＧＦが配列番号８の配列を有する、請求項３に記載の単位用量。
【請求項９】  前記ＦＧＦが配列番号９の配列を有する、請求項３に記載の単位用量。
【請求項１０】  前記ＦＧＦが配列番号１２の配列を有する、請求項４に記載の単位用量。
【請求項１１】  前記ＦＧＦが配列番号１３の配列を有する、請求項４に記載の単位用量。
【請求項１２】  前記ＦＧＦが配列番号１４の配列を有する、請求項４に記載の単位用量。
【請求項１３】  薬学的組成物であって、（ｉ）配列番号１〜３、５、８〜１０、もしくは１２〜１４のいずれか１つの配列を有する、治療的有効量の、ＦＧＦ、あるいはその脈管形成的に活性なフラグメントまたはムテイン、および（ｉｉ）薬学的に受容可能なキャリアを含有し、該組成物が、ヒト患者への投与に適切な形態およびサイズである、薬学的組成物。
【請求項１４】  前記治療的有効量が、前記ＦＧＦあるいはその脈管形成的に活性なフラグメントまたはムテインを０．２μｇ／ｋｇ〜３６μｇ／ｋｇ含有する、請求項１３に記載の薬学的組成物。
【請求項１５】  前記治療的有効量が、前記ＦＧＦを約０．２μｇ／ｋｇ〜約３６μｇ／ｋｇ含有する、請求項１４に記載の薬学的組成物。
【請求項１６】  前記治療的有効量が、前記ＦＧＦを約０．２μｇ／ｋｇ〜２．０μｇ／ｋｇ含有する、請求項１５に記載の薬学的組成物。
【請求項１７】  前記治療的有効量が、前記ＦＧＦあるいはその脈管形成的に活性なフラグメントまたはムテインを０．００８ｍｇ〜６．１ｍｇ含有する、請求項１３に記載の薬学的組成物。
【請求項１８】  前記治療的有効量が、前記ＦＧＦあるいはその脈管形成的に活性なフラグメントまたはムテインを０．３ｍｇ〜３．５ｍｇ含有する、請求項１７に記載の薬学的組成物。
【請求項１９】  前記治療的有効量が、前記ＦＧＦの脈管形成的に活性なフラグメントを０．００８ｍｇ〜６．１ｍｇ含有する、請求項１７に記載の薬学的組成物。
【請求項２０】  前記治療的有効量が、前記ＦＧＦの脈管形成的に活性なムテインを０．００８ｍｇ〜６．１ｍｇ含有する、請求項１７に記載の薬学的組成物。
【請求項２１】  冠状動脈疾患についてヒト患者を処置するための組成物であって、該組成物は、配列番号１〜３、５、８〜１０、または１２〜１４のいずれか１つの配列を有する、組換えＦＧＦ、あるいはその脈管形成的に活性なフラグメントまたはムテインの治療的有効量を含有し、ここで該組成物は、冠状動脈疾患に対する処置を必要とするヒト患者における１以上の冠状脈管への投与に適した形態およびサイズである、組成物。
【請求項２２】  前記治療的有効量が、約０．００８ｍｇ〜約６．１ｍｇの前記組換えＦＧＦ、あるいはその脈管形成的に活性なフラグメントまたはムテインである、請求項２１に記載の組成物。
【請求項２３】  前記治療的有効量が、０．３ｍｇ〜３．５ｍｇの前記組換えＦＧＦ、あるいはその脈管形成的に活性なフラグメントまたはムテインである、請求項２２に記載の組成物。
【請求項２４】  請求項２１に記載の組成物であって、約０．２μｇ／ｋｇ〜約３６μｇ／ｋｇの、前記組換えＦＧＦ、あるいはその脈管形成的に活性なフラグメントまたはムテインを含有する、組成物。
【請求項２５】  請求項２２に記載の組成物であって、０．０２μｇ／ｋｇ〜２μｇ／ｋｇの前記組換えＦＧＦを含有する、組成物。
【請求項２６】  請求項２３に記載の組成物であって、２μｇ/ｋｇ〜２０μｇ／ｋｇの前記組換えＦＧＦを含有する、組成物。
【請求項２７】  請求項２４に記載の組成物であって、約２０μｇ／ｋｇ〜３６μｇ／ｋｇの前記組換えＦＧＦを含有する、組成物。
【請求項２８】  請求項２１に記載の組成物であって、０．００８ｍｇ〜６．１ｍｇの、前記組換えＦＧＦの脈管形成的に活性なフラグメントを含有する、組成物。
【請求項２９】  請求項２１に記載の組成物であって、０．００８ｍｇ〜６．１ｍｇの、前記組換えＦＧＦの前記脈管形成的に活性なムテインを含有する、組成物。
【請求項３０】  ヒト患者の心臓における脈管形成を誘導するための組成物であって、該組成物は、配列番号１〜３、５、８〜１０もしくは１２〜１４のいずれか１つの配列を有する組換えＦＧＦ、あるいはその脈管形成的に活性なフラグメントまたはムテインの治療的有効量を含有し、ここで該組成物は、冠状脈管形成を必要とするヒト患者の１以上の冠状脈管中への単位用量としての投与に適した形態およびサイズである、組成物。
【請求項３１】  前記単位用量が前記患者の２つの冠状脈管への投与に適した形態およびサイズである、請求項３０に記載の組成物。
【請求項３２】  前記組換えＦＧＦの投与の２０分以内に、有効量のグリコサミノグリカンがさらに投与される、請求項３０に記載の組成物。
【手続補正書】
【提出日】平成18年9月25日(2006.9.25)
【手続補正１】
【補正対象書類名】明細書
【補正対象項目名】特許請求の範囲
【補正方法】変更
【補正の内容】
【特許請求の範囲】
【請求項１】  ２，２，６，６−テトラアルキルピペリジンの選択されたＮ−ＯＲ誘導体を製造するための二つの工程を、所望のＮ−ＯＲ化合物に付随して得られたＮ−ＯＨの、第二の工程のための対応するＮ−オキシル開始材料に戻す再循環を含む第三の工程と共に含む方法であって、
工程１において、過酸化水素での酸化によりＮ−オキシル化合物を製造し、
【化１】
2002527425.tif 000001
そして
工程２において、二当量のＮ−オキシルを、一当量のアリル化合物、ベンジル化合物または活性化メチン化合物（Ｒ−Ｈ）と反応させて、一当量のＮ−ＯＨおよび一当量のＮ−ＯＲ化合物を形成し、
【化２】
2002527425.tif 000002
該Ｎ−ＯＨおよびＮ−ＯＲ化合物を分離し、そして
工程３において、工程２において形成された該Ｎ−ＯＨ化合物を再循環して、工程２のための中間体として必要とされる前記Ｎ−オキシル化合物に戻す
【化３】
2002527425.tif 000003
ことからなる方法
［式Ａ、Ｂ、ＣおよびＤ中、
Ｇ1およびＧ2は、独立して、１ないし４個の炭素原子のアルキル基を表すか、またはＧ1およびＧ2は、一緒になって、ペンタメチレン基を表し、
Ｘは、水素原子、ヒドロキシル基、オキソ基、−ＮＨ−ＣＯ−Ｅ、−Ｏ−ＣＯ−Ｅまたは−ＮＨ−ＣＯ−ＮＨ−Ｅ（ここで、Ｅは、１ないし１８個の炭素原子のアルキル基または、ヒドロキシル基によって置換された該アルキル基を表すか、またはＥは、６ないし１０個の炭素原子のアリール基を表す。）を表し、そして
Ｒは、３ないし２０個の炭素原子のアルケニル基；Ｙ−ＣＨ−Ｚ（ここで、ＹおよびＺは、独立して、水素原子、１ないし１８個の炭素原子のアルキル基、６ないし１０個の炭素原子のアリール基または、一つないし四つの１ないし４個の炭素原子のアルキル基によって置換された該アリール基を表すが、但し、ＹおよびＺの少なくとも一方はアリール基を表し、そしてＹがアリール基を表す場合、Ｚはメチレン基を有する縮合環系の一部を表すことができる。）を表す。］。
【請求項２】  所望のＮ−ＯＲ化合物に付随して得られたＮ−ＯＨの、初期工程のための対応するＮ−オキシル開始材料に戻す再循環を含む次工程を伴う、２，２，６，６−テトラアルキルピペリジンの選択されたＮ−ＯＲ誘導体の製造方法であって、
二当量のＮ−オキシルを、一当量のアリル化合物、ベンジル化合物または活性化メチン化合物（Ｒ−Ｈ）と反応させて、一当量のＮ−ＯＨおよび一当量のＮ−ＯＲ化合物を形成し、
【化４】
2002527425.tif 000004
該Ｎ−ＯＨおよびＮ−ＯＲ化合物を分離し、そして
形成された該Ｎ−ＯＨ化合物を再循環して初期反応のための中間体として必要とされる前記Ｎ−オキシル化合物に戻す
【化５】
2002527425.tif 000005
ことからなる方法
［式Ｂ、ＣおよびＤ中、
Ｇ1およびＧ2は、独立して、１ないし４個の炭素原子のアルキル基を表すか、またはＧ1およびＧ2は、一緒になって、ペンタメチレン基を表し、
Ｘは、水素原子、ヒドロキシル基、オキソ基、−ＮＨ−ＣＯ−Ｅ、−Ｏ−ＣＯ−Ｅまたは−ＮＨ−ＣＯ−ＮＨ−Ｅ（ここで、Ｅは、１ないし１８個の炭素原子のアルキル基、ヒドロキシル基によって置換された該アルキル基を表すか、またはＥは、６ないし１０個の炭素原子のアリール基を表す。）を表し、そして
Ｒは、３ないし２０個の炭素原子のアルケニル基；Ｙ−ＣＨ−Ｚ（ここで、ＹおよびＺは、独立して、水素原子、１ないし１８個の炭素原子のアルキル基、６ないし１０個の炭素原子のアリール基または、一つないし四つの１ないし４個の炭素原子のアルキル基によって置換された該アリール基を表すが、但し、ＹおよびＺの少なくとも一方はアリール基を表し、そしてＹがアリール基を表す場合、Ｚはメチレン基を有する縮合環系の一部を表すことができる。）を表す。］。
【請求項３】  ２，２，６，６−テトラアルキルピペリジンの選択されたＮ−ＯＲ誘導体の製造方法であって、
二当量のＮ−オキシルを、一当量のアリル化合物、ベンジル化合物または活性化メチン化合物（Ｒ−Ｈ）と反応させて、一当量のＮ−ＯＨおよび一当量のＮ−ＯＲ化合物を形成し、
【化６】
2002527425.tif 000006
そして
該Ｎ−ＯＨ化合物およびＮ−ＯＲ化合物を分離することからなる方法
［式Ｂ、ＣおよびＤ中、
Ｇ1およびＧ2は、独立して、１ないし４個の炭素原子のアルキル基を表すか、またはＧ1およびＧ2は、一緒になって、ペンタメチレン基を表し、
Ｘは、水素原子、ヒドロキシル基、オキソ基、−ＮＨ−ＣＯ−Ｅ、−Ｏ−ＣＯ−Ｅまたは−ＮＨ−ＣＯ−ＮＨ−Ｅ（ここで、Ｅは、１ないし１８個の炭素原子のアルキル基、ヒドロキシル基によって置換された該アルキル基を表すか、またはＥは、６ないし１０個の炭素原子のアリール基を表す。）を表し、そして
Ｒは、３ないし２０個の炭素原子のアルケニル基；Ｙ−ＣＨ−Ｚ（ここで、ＹおよびＺは、独立して、水素原子、１ないし１８個の炭素原子のアルキル基、６ないし１０個の炭素原子のアリール基または、一つないし四つの１ないし４個の炭素原子のアルキル基によって置換された該アリール基を表すが、但し、ＹおよびＺの少なくとも一方はアリール基を表し、そしてＹがアリール基を表す場合、Ｚはメチレン基を有する縮合環系の一部を表すことができる。）。
【手続補正書】
【提出日】平成18年6月9日(2006.6.9)
【手続補正１】
【補正対象書類名】明細書
【補正対象項目名】特許請求の範囲
【補正方法】変更
【補正の内容】
【特許請求の範囲】
【請求項１】尿素を融解状態で反応させることによりメラミンを調製する方法であって、生じるメラミン融解物は反応中に形成されたガス状生成物から分離され、次に該メラミン融解物はメラミン融解物中に溶解された二酸化炭素を除去するためにアンモニアでカラム内で処理され、該カラム内で使用されるアンモニアの量はメラミンのトン当たり０．０２〜３トンの間であり、該カラムは１〜４０ＭＰａの間の圧力で運転され、該カラム中の温度は主たる圧力でのメラミンの融点と４５０℃の間にあり、該カラム中でのメラミン融解物の滞留時間が１分間から１０時間の間にある方法において、該カラムはパッキングを有するバブルカラム又は複数のコンパートメントに分割されたバブルカラム又はパッキングを有する領域及び複数のコンパートメントの両方を備えられたバブルカラムであり、且つ該バブルカラムは少なくとも３５％の液体ホールドアップを有し、該液体ホールドアップが、
液体ホールドアップ＝(ストリッピングゾーン中の動的な液量)／(ストリッピングゾーン中のカラム容量)として定義されることを特徴とする方法。
【請求項２】バブルカラムがパッキングを備えられていることを特徴とする請求項１記載の方法。
【請求項３】パッキングが１０〜３０００ｍ2／ｍ3の間の比表面積を有することを特徴とする請求項２記載の方法。
【請求項４】アンモニアでの処理が２〜１００のコンパートメントを有するバブルカラム中で行われることを特徴とする請求項１記載の方法。
【請求項５】コンパートメントが互いに隣りに位置しかつプレート中に任意的に１又はそれ以上の穿孔を有する１又はそれ以上の仕切りによって分離されることを特徴とする請求項４記載の方法。
【請求項６】コンパートメントが完全に又は部分的にメラミン融解物で満たされている別途のパイプを含むことを特徴とする請求項４〜５のいずれか１つに記載の方法。
【請求項７】コンパートメントが互いに上下に位置し、かつ事実上水平に位置している１又はそれ以上のプレートによって分離され、プレートが１又はそれ以上の穿孔を任意的に有していることを特徴とする請求項４に記載の方法。
【請求項８】穿孔の数及び大きさは、ガスの流路のために設計されている穴を通じるガス速度が０．２ｍ／ｓ〜２０ｍ／ｓの間にあるように選ばれることを特徴とする請求項５〜７のいずれか１つに記載の方法。
【請求項９】ガスの流路のために設計されている穴のサイズが０．５ｍｍ〜１００ｍｍの間にあることを特徴とする請求項５〜８のいずれか１つに記載の方法。
【請求項１０】ガスの流路のために設計されている穿孔の総面積がカラム横断面の０．０２％〜３０％の間にあることを特徴とする請求項５〜９のいずれか１つに記載の方法。
【請求項１１】アンモニアガス投入量及びカラムの直径は、総カラム横断面に基づく見掛けのガス速度が０．００１〜０．２ｍ／秒の間にあるように選ばれることを特徴とする請求項１〜１０のいずれか１つに記載の方法。
【請求項１２】バブルカラム中のメラミン融解物が、メラミン融解物の入ってくる温度と結晶化温度の間に同時に冷却されることを特徴とする請求項１〜１１のいずれか１つに記載の方法。
【請求項１３】冷却が１５０℃〜３５０℃の間の温度を有するアンモニアガスを使用して行われることを特徴とする請求項１２に記載の方法。
【請求項１４】メラミン最終生成物中の酸素含有化合物の量が０．７重量％未満であることを特徴とする請求項１〜１３のいずれか１つに記載の方法。
【請求項１５】最終生成物中のメラムの量が１．５重量％未満であることを特徴とする請求項１〜１４のいずれか１つに記載の方法。
【請求項１６】最終生成物中のメラミン含量が９８．５重量％より大きいことを特徴とする請求項１〜１５のいずれか１つに記載の方法。
【手続補正書】
【提出日】平成18年8月14日(2006.8.14)
【手続補正１】
【補正対象書類名】明細書
【補正対象項目名】発明の名称
【補正方法】変更
【補正の内容】
【発明の名称】躁病および双極性障害の治療のための医薬
【手続補正２】
【補正対象書類名】明細書
【補正対象項目名】特許請求の範囲
【補正方法】変更
【補正の内容】
【特許請求の範囲】
【請求項１】  式
【化１】
2002527474.tif 000001
（式中、Ｒ1は１〜６個の炭素の直鎖もしくは分枝鎖状アルキル、フェニル、または３〜６個の炭素のシクロアルキルであり；Ｒ2は水素またはメチルであり；そしてＲ3は水素、メチルまたはカルボニルである）の化合物またはその医薬上許容しうる塩を含有する、哺乳類における躁病症状の治療のための医薬。
【請求項２】  化合物が、（Ｒ）、（Ｓ）または（Ｒ,Ｓ）異性体としての式Ｉ（ここで、Ｒ3およびＲ2は水素であり、そしてＲ1は、−(ＣＨ2)0-2−ｉＣ4Ｈ9である）の化合物である請求項１に記載の医薬。
【請求項３】  化合物が（Ｓ）−３−（アミノメチル）−５−メチルヘキサン酸または３−アミノメチル−５−メチルヘキサン酸である請求項１に記載の医薬。
【請求項４】  躁病が急性である請求項１に記載の医薬。
【請求項５】  躁病が慢性である請求項１に記載の医薬。
【請求項６】  躁病が１回性の症状発現である請求項１に記載の医薬。
【請求項７】  躁病が再発性である請求項１に記載の医薬。
【請求項８】  プレガバリンを使用する請求項１に記載の医薬。
【請求項９】  式
【化２】
2002527474.tif 000002
（式中、Ｒ1は１〜６個の炭素の直鎖もしくは分枝鎖状アルキル、フェニルまたは３〜６個の炭素のシクロアルキルであり；Ｒ2は水素またはメチルであり；そしてＲ3は水素、メチルまたはカルボニルである）の化合物またはその医薬上許容しうる塩を含有する、哺乳類における双極性障害の治療または予防のための医薬。
【請求項１０】  化合物がプレガバリンである請求項９に記載の医薬。
【手続補正書】
【提出日】平成17年11月25日(2005.11.25)
【手続補正１】
【補正対象書類名】明細書
【補正対象項目名】特許請求の範囲
【補正方法】変更
【補正の内容】
【特許請求の範囲】
【請求項１】  哺乳動物に経腸投与して食後の血漿アミノ酸量を調整することを意図した組成物の製造用に消化の遅いタン白物質を使用するものであって、該タン白物質は予め処理して含まれる消化の早いタン白を消化の遅いタン白に転換しておき、消化の遅いタン白物質は熱力学的非相容性條件下で多糖類と組合せた微粒子ゲル化タン白を含有する物質であることを特徴とする、上記消化の遅いタン白物質の使用。
【請求項２】  ａ）食後のタン白得量を増加し、および／または
ｂ）或る種の器官および／または或る種の酵素の代謝過負荷を避け、および／または
ｃ）これらのタン白の飽満効果により１日の食品摂取量を制限し、および／または
ｄ）アミノ酸代謝の或る種の機能障害を補い、
ｅ）組織の再生、特に負傷治ゆ処置を改良する、
ために意図された組成物の製造のための、請求項１記載のタン白物質の使用。
【請求項３】  腎不全および／または肝臓病患者の栄養に意図された組成物の製造のための、請求項１記載のタン白物質の使用。
【請求項４】  アミノ酸代謝の機能障害または特に酵素欠乏患者の栄養に意図された組成物の製造のための、請求項１記載のタン白物質の使用。
【請求項５】  ペット、特に老いたペット、成長期の若いペットのためのおよび或るペットの体重を調整するためのフードとして使用するのに意図された組成物の製造のための、請求項１記載のタン白物質の使用。
【請求項６】  タン白は熱処理によりゲル化する、請求項１記載のタン白物質の使用。
【請求項７】  多糖類はアルギネート、キサンタンガム、アラビアガム、グアール、澱粉、マルトデキストリン、デキストリン、ペクチン、カッパ−カラギナン、イオタ−カラギナン、ラムダ−カラギナン、メチルセルロース、カルボキシメチルセルロース、硫酸化デキストランおよび／またはジェランガムから選択する、請求項１記載のタン白物質の使用。
【請求項８】  哺乳動物に経腸投与するための、消化の遅いタン白物質を含有する組成物であって、該タン白物質は、含有する消化の速いタン白を消化の遅いタン白に予め転換処理されており、消化の遅いタン白物質は熱力学的非相容性條件下で多糖類と組合せた微粒子ゲル化タン白を含有する物質であることを特徴とする、上記組成物。
【請求項９】  多糖類はアルギネート、キサンタンガム、アラビアガム、グアール、澱粉、マルトデキストリン、デキストリン、ペクチン、カッパ−カラギナン、イオタ−カラギナン、ラムダ−カラギナン、メチルセルロース、カルボキシメチルセルロース、硫酸化デキストランおよび／またはジェランガムから選択する、請求項８記載の組成物。
【請求項１０】  ａ）食後のタン白得量を増加し、および／または
ｂ）或る種の器官および／または或る種の酵素の代謝過負荷を避け、および／または
ｃ）これらのタン白の飽満効果により１日食品摂取量を制限し、および／または
ｄ）アミノ酸代謝における或る種の機能障害を補い、
ｅ）組織の再生、特に負傷治ゆ処置を改良する
ための、請求項８または９のいずれか１項に記載の組成物。
【請求項１１】  全エネルギーの少なくとも８％を供するタン白源、全エネルギーの７０％までを供する炭水化物源および全エネルギーの３５％までを供する脂質源を含有する、請求項８から１０のいずれか１項に記載の組成物。
【請求項１２】  ７０〜２００Ｋカロリー／１００ｍｌのエネルギー密度を有する、請求項８から１１のいずれか１項に記載の組成物。
【請求項１３】  タン白物質は約５０％のカゼイノグリコマクロペプチド、炭水化物源、脂質源およびビタミンおよびミネラルを含有する、フェニルケトン尿症患者のための、請求項８から１２のいずれか１項に記載の組成物。
【請求項１４】  ペットフード用の、請求項８から１３のいずれか１項に記載の組成物。
【請求項１５】  老いたペット、成長期の若いペットのためのおよび或る対象ペットの体重を調整するためのフードとして使用するための、請求項１４記載の組成物。
【請求項１６】  乾燥抽出物基準で脂質源は全エネルギーの６０％まで、およびタン白量は４０％までを表わす、請求項１４記載の組成物。
【手続補正書】
【提出日】平成18年9月15日(2006.9.15)
【手続補正１】
【補正対象書類名】明細書
【補正対象項目名】特許請求の範囲
【補正方法】変更
【補正の内容】
【特許請求の範囲】
【請求項１】  ビス（４−ヒドロキシアリール）アルカン及び芳香族ヒドロキシ化合物の付加生成物からのビス（４−ヒドロキシアリール）アルカンの製造方法であって、
ａ）不活性ガスが、１５０℃から２３０℃の温度でビス（４−ヒドロキシアリール）アルカン及び芳香族ヒドロキシ化合物の付加生成物の溶融物を通り、ここで不活性ガスの流れは、溶融物から芳香族ヒドロキシ化合物を取り除き、
ｂ）芳香族ヒドロキシ化合物は不活性ガスの流れから凝縮により取り除かれ、
ｃ）不活性ガスの流れは、精製され、圧縮され、そして段階ａ）へ再循環されることを特徴とする方法。
【請求項２】  不活性ガスの流れの精製が、ｐＨが７から１２の範囲内である水性媒体でのスクラブにより遂行されることを特徴とする、請求項１に記載の方法。
【請求項３】  不活性ガスの圧縮のために使用される圧縮機のシール液体がスクラブ用媒体として利用されることを特徴とする、請求項２に記載の方法。
【請求項４】  アルカリスクラブの後及び段階ａ）に再循環される前に、不活性ガスの流れが中性のｐＨの水性媒体で二番目のスクラブ段階に供されること特徴とする、請求項２又は３のいずれかに記載の方法。
【請求項５】  不活性ガスの流れの精製が、固定層吸着剤を通すことにより遂行されることを特徴とする、請求項１に記載の方法。
【請求項６】  活性炭又はゼオライトが固定層吸着剤として使用されることを特徴とする、請求項５に記載の方法。
【請求項７】  請求項１に記載の方法により得られる、＜５０ｐｐｍの芳香族ヒドロキシ化合物の含量を有するビス（４−ヒドロキシアリール）アルカン。
【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】  メチルエチルケトン（ＭＥＫ）およびエタノール（ＥｔＯＨ）を含有する水性混合物からＭＥＫを分離する方法であって、混合物を、抽出溶媒としてイソペンタン、キシレンのｏ−、ｍ−、およびｐ−異性体ならびに混合キシレンよりなる群から選択されるメンバーを用いて溶媒抽出することを含む方法。
【請求項２】  溶媒がイソペンタンである、請求項１記載の方法。
【請求項３】  溶媒がキシレン異性体またはキシレン異性体混合物である、請求項１記載の方法。
【請求項４】  抽出により得られる、溶媒およびＭＥＫを含む抽出液を分留して、溶媒抽出に再循環される、５０重量％を超える割合の溶媒を含有する留出物、および粗製ＭＥＫ残留物を得る、請求項１記載の方法。
【請求項５】  ＭＥＫおよび酢酸エチルの混合物から、混合物中の酢酸エチルを少なくとも部分的に加水分解して、ＭＥＫ、ＥｔＯＨ、酢酸（ＨＯＡｃ）、水および加水分解されていない酢酸エチルを含む加水分解生成物を調製し、この加水分解生成物に蒸留工程を施し、これによる残留物はＨＯＡｃおよび大部分の水を含み、留出物は加水分解されていない酢酸エチル、ＭＥＫおよびＥｔＯＨを含み、この留出物に２回目の蒸留を施し、その際、留出物は低沸点不純物、加水分解されていない酢酸エチル、ならびにＭＥＫ、水およびＥｔＯＨの三元共沸混合物を含み、残留物はＭＥＫおよびＥｔＯＨを含み、そしてこの残留物に水を添加することにより水性混合物が得られる、請求項１記載の方法。
【請求項６】  ＭＥＫおよび酢酸エチルの混合物が、分子状酸素でＣ3〜Ｃ6脂肪族炭化水素を液相酸化することにより生じる生成物の蒸留から留分として得られる、請求項５記載の方法。
【請求項７】  炭化水素がｎ−ブタンである、請求項６記載の方法。
【手続補正書】
【提出日】平成18年10月16日(2006.10.16)
【手続補正１】
【補正対象書類名】明細書
【補正対象項目名】特許請求の範囲
【補正方法】変更
【補正の内容】
【特許請求の範囲】
【請求項１】  細胞内病原体に関連する疾病を有する被験者を治療する方法であって、該被験者に、
(a)  光増感剤および
(b)  標的付け部位
を含む分子複合体を投与する工程を含み、該標的付け部位が該複合体を前記細胞内病原体または感染した宿主細胞に標的付けることを特徴とする方法。
【手続補正書】
【提出日】平成18年10月11日(2006.10.11)
【手続補正１】
【補正対象書類名】明細書
【補正対象項目名】特許請求の範囲
【補正方法】変更
【補正の内容】
【特許請求の範囲】
【請求項１】
式
【化１】
2002527414.tif 000001
［式中、
Ｒ1は非置換アリール；又はＣ1−Ｃ6アルキル、シクロアルキル、ハロゲン、ハロアルキル、ニトロ及びアルコキシより成る群から選ばれる少なくとも１つの置換基で置換されているアリールであり；
Ｒ2はＣ1−Ｃ6アルキル、シクロアルキル、ハロアルキル、クロロ、フルオロ、ヨード、アルコキシ、アルキルチオ、アルキルスルホン、アリールスルホン、ヒドロキシ、ヒドロキシアルキル、−ＣＯＯＲ7及びＣＯＮ（Ｒ8）2から選ばれる少なくとも１つの置換基で置換されているフェニル；非置換ヘテロアリール又はＣ1−Ｃ6アルキル、シクロアルキル、ハロアルキル、クロロ、フルオロ及びヨードから選ばれる少なくとも１つの置換基で置換されているヘテロアリールであり；
Ｒ3は水素、Ｃ1−Ｃ6アルキル又はＣ1−Ｃ6ジェミナルジアルキルであり；
Ｒ4は水素、ＣＯＮ（Ｒ9）2、ＳＯ2Ｎ（Ｒ10）2、ＣＯＲ11又はＣＯＯＲ12であり；
Ｒ5、Ｒ6、Ｒ7、Ｒ8、Ｒ9、Ｒ10、Ｒ11及びＲ12は独立して水素又はアルキルから選ばれ；
ｎは１である］
の化合物あるいはそれらの製薬学的に許容され得る塩又は立体化学的異性体。
【請求項２】
Ｒ1が非置換アリール又はハロゲンもしくはＣ1−Ｃ6アルキルで置換されているアリールであり；Ｒ2が非置換ピリジル、Ｃ1−Ｃ6アルキル、シクロアルキル、ハロアルキル、クロロ、フルオロ又はヨードの少なくとも１つで置換されているピリジル、あるいはＣ1−Ｃ6アルキル、シクロアルキル、ハロアルキル、クロロ、フルオロ、ヨード、Ｃ1−Ｃ6アルコキシ、アルキルチオ、アルキルスルホン、アリールスルホン、ヒドロキシ、ヒドロキシアルキル、−ＣＯＯＲ7及びＣＯＮ（Ｒ8）2から選ばれる少なくとも１つの置換基で置換されているフェニルであり；Ｒ3がアルキルであり、Ｒ4が水素、ＣＯＮ（Ｒ9）2、ＣＯＲ11又はＣＯＯＲ12である請求項１の化合物。
【請求項３】
Ｒ3がメチルであり、Ｒ4が水素である請求項２の化合物。
【請求項４】
Ｒ1が非置換フェニル又はチオフェン、あるいはハロゲンもしくはＣ1−Ｃ6アルキルで置換されているフェニル又はチオフェンであり；Ｒ2がＣ1−Ｃ6アルキル、クロロ、フルオロ、ヨード又はＣ1−Ｃ6アルコキシで置換されているフェニルである請求項２の化合物。
【請求項５】
Ｒ1が非置換フェニル又はチオフェンであり、Ｒ2がＣ1−Ｃ6アルキル、クロロ、フルオロ、ヨード又はＣ1−Ｃ6アルコキシで置換されているフェニルである請求項４の化合物。
【請求項６】
Ｒ3がメチルであり、Ｒ4が水素である請求項５の化合物。
【請求項７】
式
【化２】
2002527414.tif 000002
により示される請求項１の化合物、２−Ｎ−（（Ｒ，Ｒ）−２−フェニルシクロプロパニルメチル）−１−（Ｒ）−（３−メトキシフェニル）エチルアミン。
【請求項８】
有効量の請求項１に記載化合物及び製薬学的に許容され得る担体を含んでなる製薬学的組成物。
【請求項９】
カルシウム不平衡（ｃａｌｃｉｕｍ  ｉｍｂａｌａｎｃｅ）及び代謝に関連する疾患の処置を必要とする宿主に有効量の請求項１の化合物を投与することを含んでなる、そのような疾患の処置の方法。
【請求項１０】
式
【化３】
2002527414.tif 000003
［式中、Ｒ1、Ｒ2及びＲ3は請求項１に記載した通りであり、Ｒ5及びＲ6の一方はアルキルであり且つ他方は水素であるか、又はＲ5及びＲ6の両方がアルキルである］
の化合物。